(57)【特許請求の範囲】
【請求項１】
主信号を含む複数のパケットを符号化し、２次元的に配置してフレームを構成し、前記パケットの同期信号を、フレーム同期信号または他の信号に置き換えた信号でキャリアを変調して送出された変調信号を受信する受信装置において、
前記送出された変調信号を受信する受信手段と、
前記受信手段により受信された変調信号の相関値を算出する相関値算出手段と、
前記受信手段により受信された変調信号の周波数偏差を算出する周波数偏差算出手段と、
前記周波数偏差算出手段により算出された周波数偏差に基づいて、前記受信手段により受信された変調信号を復調するためのキャリアの周波数を決定する周波数決定手段と
を備え、
前記周波数決定手段は、
前記相関値が所定の閾値より大きくなった変調信号の周波数偏差に基づいて、受信された変調信号を復調するためのキャリアの周波数を決定する
ことを特徴とする受信装置。
【請求項２】
前記閾値算出手段および周波数偏差算出手段は、前後するフレームを構成する変調信号間の相関値および周波数偏差を算出する
請求項１に記載の受信装置。
【請求項３】
主信号を含む複数のパケットを符号化し、２次元的に配置してフレームを構成し、前記パケットの同期信号を、フレーム同期信号または他の信号に置き換えた信号でキャリアを変調して送出された変調信号を受信する受信方法において、
前記送出された変調信号を受信する受信ステップと、
前記受信ステップの処理で受信された変調信号の相関値を算出する相関値算出ステップと、
前記受信ステップの処理で受信された変調信号の周波数偏差を算出する周波数偏差算出ステップと、
前記周波数偏差算出ステップの処理で算出された周波数偏差に基づいて、前記受信ステップの処理で受信された変調信号を復調するためのキャリアの周波数を決定する周波数決定ステップと
を含み、
前記周波数決定ステップは、
前記相関値が所定の閾値より大きくなった変調信号の周波数偏差に基づいて、受信された変調信号を復調するためのキャリアの周波数を決定する
ことを特徴とする受信方法。
【請求項４】
主信号を含む複数のパケットを符号化し、２次元的に配置してフレームを構成し、前記パケットの同期信号を、フレーム同期信号または他の信号に置き換えた信号でキャリアを変調して送出された変調信号を受信する受信処理をコンピュータに行わせるプログラムにおいて、
前記送出された変調信号を受信する受信ステップと、
前記受信ステップの処理で受信された変調信号の相関値を算出する相関値算出ステップと、
前記受信ステップの処理で受信された変調信号の周波数偏差を算出する周波数偏差算出ステップと、
前記周波数偏差算出ステップの処理で算出された周波数偏差に基づいて、前記受信ステップの処理で受信された変調信号を復調するためのキャリアの周波数を決定する周波数決定ステップと
を含み、
前記周波数決定ステップは、
前記相関値が所定の閾値より大きくなった変調信号の周波数偏差に基づいて、受信された変調信号を復調するためのキャリアの周波数を決定する
受信処理をコンピュータに実行させるプログラムを伝送することを特徴とする伝送媒体。
【発明の詳細な説明】
【０００１】
【発明の属する技術分野】
本発明は、受信装置および受信方法、並びに伝送媒体に関し、特に、繰り返し送出される所定の信号の相関値に基づいて、搬送波の周波数を決定することができるようにした受信装置および受信方法、並びに伝送媒体に関する。
【０００２】
【従来の技術】
デジタル放送の１つの方法としてISDB(Intergrated Services Digital Broadcasting)の開発が進められている。このISDBは、柔軟なデータ多重を特徴とし、いろいろな伝送チャンネルを用いて、各種のサービスを実現することができる。
【０００３】
ISDBにおいては、通信衛星、地上波、ケーブル等の他のメデイアとの整合性を図る観点から、（２０４，１８８）のリードソロモン符号化（以下ＲＳ符号と略称する）されたトランスポートストリーム（以下ＴＳと略称する）の同期部を除いたペイロード情報を伝送する主信号部分に、畳み込み符号化されたBPSK(Binary Phase Shift Keying)やQPSK(Quadrature Phase Shift Keying)、あるいはトレリス符号化８PSK(Phase Shift Keying)を用い、また変調方法や符号化率の伝送情報をＴＳの同期部を用いてBPSKにて伝送する方式が提案されている。
【０００４】
ここで、上記の多重化伝送信号のデータ構成を説明する。
【０００５】
始めに、映像、音声、および各種のデータなど番組を構成する信号は、それぞれの信号の性質に適した方法でデジタル化され、符号化される。符号化された信号は、次に、所定の固定の長さのパケットにパケット化され、パケット単位で時分割多重化され、パケットストリームが生成される。
【０００６】
次に、図３に示すように、伝送劣化に強い耐性を得るために、パケットを、周期的な同期構造を持つフレームに構成する。いまの場合、１８８バイトのＴＳのパケットに、ＲＳ（２０４，１８８）符号化により、１６バイトのパリテイが付加され、４８個のパケットで１つのフレームを構成する。
【０００７】
各パケットの先頭の１バイトは同期バイトとされているが、このうちのフレームの最初の２つのパケットの同期バイトは、フレーム同期信号とされ、第３番目以降のパケットの同期バイトは、TMCC(Transmission Multiplexing Configuration Control)信号とされる。このTMCC信号には、主信号（同期バイト以外の領域の信号）の変調方式や符号化率などの伝送制御情報が含まれている。
【０００８】
１つのフレームの最初の２個のパケットの主信号は、低階層用の信号ＬＱとされ、この信号は、この２個のパケットの範囲内でインタリーブされ、さらに、畳み込み符号化される。一方、１つのフレームを構成する４８個のパケットのうち、残りの４６個のパケットの主信号は、高階層用の信号ＨＱとされ、この信号は、インタリーブされた後、２／３トレリス符号化される。
【０００９】
ＲＳ符号化、インタリーブ、そして畳み込み符号化された主信号は、次に、８パケット単位で読み出される。すなわち、図４（Ａ）に示すように、最初に４８個のパケットの先頭の同期バイト1-1，2-1，3-1，・・・，48-1がバイト単位で読み出された後、主信号は、８パケット単位で、矢印の順番（1-2，2-2，・・・8-2，1-3，2-3，・・・の順番）にバイト毎に読み出され、図４（Ｂ）に示すビットストリームとなり、最終的な多重化信号となって変調器（図示せず）に入力される。変調器において、フレーム同期信号とTMCC信号（同期バイトの信号）はBPSKにより変調され、低階層信号ＬＱはQPSKにより変調され、そして、高階層信号ＨＱは8PSKにより変調される。
【００１０】
上述のように変調された変調信号は、所定の伝送路を介して受信装置に伝送される。
【００１１】
次に、ISDBにおける受信装置について説明する。図５は、従来の受信装置の構成例を表している。
【００１２】
所定の伝送路を介して伝送されてきた変調信号は、図示せぬチューナにより受信され、フレーム同期検出回路６１と、PSK復調回路６２に入力されるようになされている。フレーム同期検出回路６１は、入力された信号からフレーム同期信号を検出し、検出した結果を、PSK復調回路６２、位相検出回路６３、およびビタビ復号回路６４に出力している。位相検出回路６３は、フレーム同期検出回路６１の出力から位相情報を検出し、その検出結果をPSK復調回路６２に出力している。
【００１３】
PSK復調回路６２は、TMCCデコーダ６５、フレーム同期検出回路６１、および位相検出回路６３の出力に基づいて、復調処理を行う。ここでは、変調信号のPSKの相数分、変調信号を乗ずることによってキャリア（基準信号）を再生し、そのキャリアを利用して変調信号を復調する。例えば、BPSKの変調信号の場合は変調信号を２乗することによってキャリアを再生し、８相PSKの変調信号の場合は変調信号を８乗することによってキャリアを再生することができる。
【００１４】
TMCCデコーダ６５は、ビタビ復号回路６４から入力された信号からTMCC信号をデコードし、変調方法や符号化率などの伝送制御情報を抽出し、そして、抽出した結果をPSK復調回路６２とビタビ復号回路６４に出力する。PSK復調回路６２とビタビ復号回路６４は、以後、入力される主信号をTMCCデコーダ６５からの伝送制御情報に対応して復調する。
【００１５】
ビタビ復号回路６４は、PSK復調回路６２からの信号を、TMCCデコーダ６５またはフレーム同期検出回路６１の出力に基づいてビタビ復号し、デインタリーブ回路６６に出力する。デインタリーブ回路６６は、入力された信号をデインタリーブし、リードソロモン復号回路６７に出力する。リードソロモン復号回路６７は、デインタリーブ回路６６からの信号を、リードソロモン復号し、MPEGデコーダ６８に出力する。MPEGデコーダ６８は、リードソロモン復号回路６７からの信号を、映像信号または音声信号にデコードする。
【００１６】
【発明が解決しようとする課題】
このように、変調信号を復調する際、変調信号をそのPSKの相数分、乗じることによって復調の基準となる所定の周波数のキャリア（搬送波）を再生すると、キャリアを再生する際、変調信号に含まれる雑音成分なども乗されるため、雑音成分の影響が拡大してしまい、キャリアの周波数の精度が低下し、正確な復調が困難になる。
【００１７】
本発明はこのような状況に鑑みてなされたものであり、正確な周波数と位相のキャリアを検出、生成できるようにするものである。
【００１８】
【課題を解決するための手段】
請求項１に記載の受信装置は、送出された変調信号を受信する受信手段と、受信手段により受信された変調信号の相関値を算出する相関値算出手段と、受信手段により受信された変調信号の周波数偏差を算出する周波数偏差算出手段と、周波数偏差算出手段により算出された周波数偏差に基づいて、受信手段により受信された変調信号を復調するためのキャリアの周波数を決定する周波数決定手段とを備え、周波数決定手段は、相関値が所定の閾値より大きくなった変調信号の周波数偏差に基づいて、受信された変調信号を復調するためのキャリアの周波数を決定することを特徴とする。
【００１９】
請求項３に記載の受信方法は、送出された変調信号を受信する受信ステップと、受信ステップの処理で受信された変調信号の相関値を算出する相関値算出ステップと、受信ステップの処理で受信された変調信号の周波数偏差を算出する周波数偏差算出ステップと、周波数偏差算出ステップの処理で算出された周波数偏差に基づいて、受信ステップの処理で受信された変調信号を復調するためのキャリアの周波数を決定する周波数決定ステップとを含み、周波数決定ステップは、相関値が所定の閾値より大きくなった変調信号の周波数偏差に基づいて、受信された変調信号を復調するためのキャリアの周波数を決定することを特徴とする。
【００２０】
請求項４に記載の伝送媒体は、送出された変調信号を受信する受信ステップと、受信ステップの処理で受信された変調信号の相関値を算出する相関値算出ステップと、受信ステップの処理で受信された変調信号の周波数偏差を算出する周波数偏差算出ステップと、周波数偏差算出ステップの処理で算出された周波数偏差に基づいて、受信ステップの処理で受信された変調信号を復調するためのキャリアの周波数を決定する周波数決定ステップとを含み、周波数決定ステップは、相関値が所定の閾値より大きくなった変調信号の周波数偏差に基づいて、受信された変調信号を復調するためのキャリアの周波数を決定する受信処理をコンピュータに実行させるプログラムを伝送することを特徴とする。
【００２１】
請求項１に記載の受信装置、請求項２に記載の受信方法、および請求項４に記載の伝送媒体は、送出された変調信号が受信され、受信された変調信号の相関値が算出され、受信された変調信号の周波数偏差が算出され、相関値が所定の閾値より大きくなった変調信号の周波数偏差に基づいて、受信された変調信号を復調するためのキャリアの周波数が決定される。
【００２２】
【発明の実施の形態】
以下に本発明の実施の形態を説明するが、特許請求の範囲に記載の発明の各手段と以下の実施の形態との対応関係を明らかにするために、各手段の後の括弧内に、対応する実施の形態（但し一例）を付加して本発明の特徴を記述すると、次のようになる。但し勿論この記載は、各手段を記載したものに限定することを意味するものではない。
【００２３】
請求項１に記載の受信装置は、送出された信号を受信する受信手段（例えば、図１のＲＦブロック２）と、受信手段により受信した信号の相関値を算出する相関値算出手段（例えば、図２の相関値算出部４０）と、相関値算出手段により算出された相関値に基づいて、受信した信号のキャリアの周波数を決定する周波数決定手段（例えば、図２の周波数変換部５０）とを備えることを特徴とする。
【００２４】
図１は、本発明を適用した受信装置の構成例を表している。
【００２５】
所定の伝送路を介して所定の周波数のキャリアで伝送されてきた変調信号は、アンテナ１を介してＲＦブロック２で受信され、中間周波数（ＩＦ）信号に変換される。ＲＦブロック２より出力されたＩＦ信号は、Ａ／Ｄ変換器３でＡ／Ｄ変換される。Ａ／Ｄ変換器３の出力は、ユニークワード検出回路４、TMCC相関値検出回路５、およびPSK復調回路６に入力されるようになされている。ユニークワード検出回路４は、入力された信号からフレーム同期信号としてのユニークなパターンを検出し、検出結果をTMCC相関値検出回路５に出力している。
【００２６】
TMCC相関値検出回路５は、ユニークワード検出回路４の出力に同期して、入力された変調信号の相関値を演算することによりTMCC信号を検出し、さらにTMCC信号間の周波数偏差△ｆを算出し、PSK復調回路６に出力する。また、TMCC相関値検出回路５は、フレームシンク（同期）を検出し、その検出信号をビタビ復号回路８に出力している。
【００２７】
図２は、TMCC相関値検出回路５の構成例を表している。TMCC相関値検出回路５は、閾値比較部２０、フレームシンク出力部３０、相関値算出部４０、および周波数変換部５０から構成されている。閾値比較部２０において、閾値発生回路２１は設定された値を示す信号を発生し、比較回路２２に出力する。比較回路２２は、閾値発生回路２１からの信号と相関値算出部４０の加算回路４５からの信号の大きさを比較し、比較結果をフレームシンク出力部３０のＡＮＤ回路３１に出力する。フレームシンク出力部３０において、ＡＮＤ回路３１は、比較回路２２からの信号とユニークワード検出回路４からのユニークワード検出信号をＡＮＤ処理し、その結果をビタビ復号回路８と周波数変換部５０の周波数変換回路５１に出力する。
【００２８】
相関値算出部４０において、遅延回路４１は、入力された受信信号を所定の時間だけ遅延させ、シフトレジスタ４２に出力している。シフトレジスタ４３には受信信号がそのまま入力されている。シフトレジスタ４２は、TMCC信号の符号長のバイト数（Ｎ）より１バイト多いバイト分のレジストセットを有しており、それに対応する（Ｎ＋１）（42-1乃至42-(N+1)）本の出力端子が設けられている。一方シフトレジスト４３は、Ｎバイト分のレジストセットを有しており、それに対応するＮ（43ー1乃至43-N）本の出力端子が設けられている。シフトレジスタ４２とシフトレジスタ４３は、入力された信号をクロックに同期して順次シフトするとともに、各タイミングにおいて保持している信号をそれぞれ乗算回路４４に供給する。
【００２９】
乗算回路４４は、シフトレジスタ４２とシフトレジスタ４３から供給される信号の対応するバイト同士を乗算するが、シフトレジスタ４２から供給される信号に対しては、第１の乗算条件として、受信された変調信号の同相成分を抽出するために、シフトレジスト４２の出力端子42-1乃至42-Nからの信号と、シフトレジスタ４３の出力端子43-1乃至43-Nからの信号を乗算し、加算回路４５に出力する。次に、第２の乗算条件として、受信された変調信号の直交成分を抽出するために、シフトレジスタ４２の出力端子42ー2乃至42-(N+1)からの信号と、シフトレジスト４３の出力端子43-1乃至43-Nからの信号を乗算し、加算回路４５に出力する。
【００３０】
加算回路４５は、乗算回路４４からの信号を加算し、加算結果を閾値比較部２０の比較回路２２と周波数変換部５０の周波数変換回路５１に出力するが、乗算回路４４が第１の乗算条件で乗算し、加算回路４５がその乗算結果を加算した場合、加算回路４５は、加算結果を比較回路２２に出力する。また、乗算回路４４が第２の乗算条件で乗算し、加算回路４５がその乗算結果を加算した場合、加算回路４５は、加算結果を周波数変換回路５１に出力する。
【００３１】
周波数変換部５０において、周波数変換回路５１は、加算回路４５からの信号に対して所定の演算を実行し、演算結果をPSK復調回路６に出力する。
【００３２】
図１に戻って、PSK復調回路６は、TMCC相関値検出回路５とTMCCデコーダ７の出力に基づいて、入力された信号を復調し、ビタビ復号回路８に出力している。TMCCデコーダ７は、ビタビ復号回路８より入力された信号からTMCC信号をデコードし、デコードした結果をPSK復調回路６とビタビ復号回路８に出力する。ビタビ復号回路８は、TMCCデコーダ７とTMCC相関値検出回路５の出力に基づいてPSK復調回路６からの信号をビタビ復号し、復号した結果をTMCCデコーダ７とデインタリーブ回路９に出力している。
【００３３】
デインタリーブ回路９は、ビタビ復号回路８からの信号を、デインタリーブし、リードソロモン復号回路１０に出力している。リードソロモン復号回路１０は、送信側のリードソロモン符号化に対応して、リードソロモン符号を復号する。MPEGデコーダ１１は、リードソロモン復号回路１０からの信号について、MPEG符号の復号処理を行い、映像デジタル信号や音声デジタル信号を再生している。Ｄ／Ａ変換器１２は、MPEGデコーダ１１からの信号をＤ／Ａ変換する。
【００３４】
次に、その動作について説明する。
【００３５】
所定の伝送路を介して所定の周波数のキャリアで伝送されてきた変調信号は、アンテナ１を介してＲＦブロック２で受信され、中間周波数（ＩＦ）信号に変換される。ＲＦブロック２より出力されたＩＦ信号は、Ａ／Ｄ変換器３でＡ／Ｄ変換される。Ａ／Ｄ変換器３の出力は、ユニークワード検出回路４、TMCC相関値検出回路５、およびPSK復調回路６に入力される。
【００３６】
ユニークワード検出回路４は、各フレームの先頭にフレーム同期信号として配置される既知のデータパターン、いわゆるユニークワードをフレーム同期信号として検出し、ユニークワードが検出されたとき、その検出信号をTMCC相関値検出回路５のＡＮＤ回路３１に出力する。ユニークワード検出回路４がこのフレーム同期信号のユニークなパターンを検出することで、フレーム同期を検出することができる。
【００３７】
TMCC信号は、伝送制御情報であり、その内容が変更されることはあまりなく、殆どの場合、同じ内容が繰り返し送出される。TMCC相関値検出回路５では、この特性を利用して、繰り返し送出されるTMCC信号を検出し、TMCC信号間の相関値を算出し、TMCC信号の検出タイミングでその位相差△θから周波数偏差△ｆを算出し、PSK復調回路６に出力する。
【００３８】
この原理を図２を参照して、詳細に説明する。
【００３９】
相関値算出部４０では、、現在入力された変調信号であるシフトレジスタ４３の出力端子43-1乃至43-Nからの信号と、１ブロック（１フレーム）分だけ遅延された変調信号であるシフトレジスタ４２の出力端子42-1乃至42-N（第１の乗算条件）からの信号が、乗算回路４４において乗算され、加算回路４５において加算される。これは、TMCC信号の相関値を求めるもので、TMCC信号が入力された時、最大となる。
【００４０】
シフトレジスタ４３から供給される現在の変調信号S1(t)は、
S1(t)=Acos(wt+θs1+θ1）
と表され、第１の乗算条件においてシフトレジスト４２から供給される１ブロック（１フレーム）分だけ遅延された変調信号S2(t)は、
S2(t)=Acos(wt+θs2+θ1+θe)
と表される。上記式中のAは信号の振幅、wはキャリアの角周波数、tは時刻、θs1およびθs2は信号位相、θ1はキャリアの初期位相、およびθeは遅延回路４１による周波数ドリフト（周波数のズレ）である。また、θs1は、TMCC信号がBPSK変調されているので、０はπの値をとり、θs2は、TMCC信号が受信された場合（TMCC信号に同じ内容が繰り返えされている時）、θs1と同じ値となる。
【００４１】
上記２つの信号を掛け合わせる（乗算回路４４における処理に相当する）と、
S1(t)×S2(t)=（Acos(wt+θs1+θ1)）×（Acos(wt+θs2+θ1+θe)）
=（A2／2）×（cos(2wt+θs1+θs2+θ1+θ1+θe)+cos(θs1ーθs2+θ1ーθ1ーθe)）
となり、さらに、図示せぬローパスフィルタで除去できる2wt成分を削除すると、
S1(t)×S2(t)=（A2／2）×cos(θs1ーθs2+θe)  −  （１）
となる。これは、１バイト同士が乗算された結果に相当する。
【００４２】
ここで、式（１）は、TMCC信号が入力された場合、θs2がθs1と同じ値となるため、乗算回路４４における１バイト同士の乗算結果は、
変調信号のTMCC信号が入力された場合の１バイト同士の乗算結果
=（A2／2）×cos(ーθe)
=（A2／2）×cos(θe)
となり、１バイト同士の乗算値の最大値となる。次に、この場合の加算回路４５における加算結果は、
加算回路４５における加算結果=（A2／2）×cos(θe)×Ｎ  −  （２）
となり、これも加算回路４５における加算値の最大値となる。
【００４３】
このように、TMCC信号が入力された時、加算回路４５での加算結果が最も大きくなり、つまり、TMCC信号の相関値は最大となる。そこで、式（２）のθeに、所定の値を代入し、算出した値を閾値とし、閾値比較部２０の閾値発生回路２１が出力する値とすると、加算回路４５からの信号はTMCC信号が入力されたタイミングにおいて、その閾値より大きくなることから、閾値比較部２０の比較回路２２は加算回路４５からの信号と閾値発生回路２１からの信号（閾値）の大きさを比較することにより、TMCC信号を検出することができる。
【００４４】
加算回路４５は、上述したように、乗算回路４４における第１の乗算条件による乗算結果を加算した場合、その加算結果を比較回路２２に出力する。加算回路４５からの相関値が閾値を超える値の場合、比較回路２２は、TMCC信号の検出信号をフレームシンク出力部３０のＡＮＤ回路３１に出力する。
【００４５】
TMCC信号が検出されるタイミングのとき、ユニークワード検出回路４はユニークワード（フレーム同期信号）を検出しているはずである。ＡＮＤ回路３１は、比較回路２２からの検出信号と、ユニークワード検出回路４からのユニークワード検出信号をＡＮＤ処理し、その結果をフレームシンク信号として、ビタビ復号回路８と周波数変換回路５１に出力する。
【００４６】
上述したようにTMCC信号は検出されるが、次に、TMCC信号の位相差を算出し、周波数偏差を求める。相関値算出部４０では、現在入力した変調信号であるシフトレジスタ４３の出力端子43-1乃至43-Nからの信号と、今度は１ブロック（１フレーム）遅延された変調信号であるシフトレジスタ４２の出力端子42-2乃至42-(N+1)（第２の乗算条件）からの信号が、乗算回路４４において乗算され、加算回路４５において加算される。このことより、TMCC信号の位相差（△θ）が求められる。
【００４７】
シフトレジスタ４３から供給される現在入力された変調信号S1(t)は、
S1(t)=Acos(wt+θs1+θ1）
と表され、第２の乗算条件においてシフトレジスト４２から供給される１ブロック（１フレーム）遅延された変調信号S3(t)は、
S3(t)=Asin(wt+θs2+θ1+θe)
と表される。上記式中のＡは信号の振幅、wはキャリアの角周波数、tは時刻、θs1およびθs2は信号位相、θ1はキャリアの初期位相、およびθeは遅延回路４１による周波数ドリフト（周波数のズレ）である。また、θs1は、TMCC信号がBPSK変調されているので、０はπの値をとり、θs2は、TMCC信号が受信された場合（TMCC信号に同じ内容が繰り返えされている時）、θs1と同じ値となる。
【００４８】
上記２つの信号を掛け合わせる（乗算回路４４における処理に相当する）と、
S1(t)×S3(t)=（Acos(wt+θs1+θ1)）×（Asin(wt+θs2+θ1+θe)）
=（A2／2）×（sin(2wt+θs1+θs2+θ1+θ1+θe)-sin(θs1ーθs2+θ1ーθ1ーθe)）
となり、さらに、図示せぬローパスフィルタで除去できる2wt成分を削除すると、
S1(t)×S3(t)=（A2／2）×sin(θs1ーθs2+θe)
となる。これは、１バイト同士が乗算された結果で、加算回路４５において、Ｎバイト分の乗算結果が加算され、その加算結果がTMCC信号の位相差（△θ）として、周波数変換部５０の周波数変換回路５１に出力される。
【００４９】
周波数変換回路５１は、ＡＮＤ回路３１からのフレームシンク信号に同期して、加算回路４５からの信号（△θ）に基づいて、周波数編数△ｆを次式により算出するが、
△ｆ＝（△θ／（TMCC信号の周期））×（１／２π）
ＡＮＤ回路３１がフレームシンク信号を出力したタイミングにおいては、TMCC信号が受信されているので、周波数変換回路５１は、TMCC信号を受信した時のTMCC信号の周波数偏差（△ｆ）を算出していることになる。算出された周波数偏差△ｆは、ＰＳＫ復調回路６に供給される出力する。
【００５０】
乗算回路４４は、シフトレジスト４２とシフトレジスト４３に入力された信号がシフトするごとに、第１の乗算条件と第２の乗算条件による乗算を繰り返すようになされている。
【００５１】
このような原理により、TMCC相関値検出回路５は、繰り返し送出されるTMCC信号を検出し、TMCC信号間の相関値を算出し、TMCC信号の検出タイミングでその位相差（△θ）から周波数偏差△ｆを算出し、PSK復調回路６に出力する。
【００５２】
PSK復調回路６は、TMCC相関値検出回路５から出力される周波数偏差△ｆに基づいてキャリアの周波数を決定し、変調信号を復調する。このことより、精度よく復調処理を実行することができる。また、PSK復調回路６は、TMCCデコーダ７により抽出された伝送制御情報に基づいて、変調信号の変調方法に対応して、それぞれ変調信号の復調を行う。フレーム同期信号とTMCC信号は、BPSKに対応して復調され、低階層信号ＬＱは、QPSKに対応して復調され、そして、高階層信号ＨＱは8PSKに対応して復調される。
【００５３】
TMCCデコーダ７は、ビタビ復号回路８から入力された信号からTMCC信号をデコードし、変調方法や符号化率などの伝送制御情報を抽出し、そして、抽出した結果をPSK復調回路６とビタビ復号回路８に出力する。PSK復調回路６とビタビ復号回路８は、以後、入力される主信号をTMCCデコーダ７からの伝送制御情報に対応して処理する。
【００５４】
次に、PSK復調回路６からの信号は、ビタビ復号回路８により、ビタビ復号される。ビタビ復号回路８は、TMCCデコーダ７の出力する伝送制御信号とTMCC相関値検出回路５の出力するフレームシンク信号に対応して、畳み込み復号処理を行う。デインタリーブ回路９は、ビタビ復号回路８からの信号をデインタリーブ処理した後、リードソロモン復号回路１０に出力する。リードソロモン復号回路１０は、デインタリーブ回路９から出力される信号を、リードソロモン復号し、MPEGデコーダ１１に出力する。MPEGデコーダ１１は、リードソロモン復号回路１０からの信号をデコードし、映像デジタル信号または音声デジタル信号を再生する。Ｄ／Ａ変換器１２は、MPEGデコーダ１１からの信号をＤ／Ａ変換する。
【００５５】
上述の動作は、TMCC信号全体を用いて周波数偏差△ｆを算出する例に基づいて説明されたが、例えば、TMCC信号の3-1（第３番目のパケットの１番目のバイト）と4-1（第４番目のパケットの１番目のバイト）の信号を組み合わせて周波数偏差△ｆを算出することもでき、または１バイトごとに周波数偏差△ｆを算出することもできる。また、相関値の大きさにより周波数偏差に重み付けを行うこともでき、つまり、Ｓ／Ｎ比によって制御量を適応に調整できる。
【００５６】
なお、上記したような処理を行うコンピュータプログラムをユーザに伝送する伝送媒体としては、磁気ディスク、CD-ROM、固体メモリなどの記録媒体の他、ネットワーク、衛星などの通信媒体を利用することができる。
【００５７】
【発明の効果】
本発明によれば、正確な周波数のキャリアを生成し、正確な復調を実施することが可能となる。
【図面の簡単な説明】
【図１】本発明を適用した受信装置の構成例を示すブロック図である。
【図２】図１のTMCC相関値検出回路５の構成例を示すブロック図である。
【図３】伝送フレームのデータ構成を示す図である。
【図４】フレーム信号のビットストリームを説明する図である。
【図５】従来の受信装置の構成例を示すブロック図である。
【符号の説明】
１  アンテナ，  ２  ＲＦブロック，  ３  Ａ／Ｄ変換器，  ４  ユニークワード検出回路，  ５  TMCC相関値検出回路，  ６  PSK復調回路，  ７  TMCCデコーダ，  ８  ビタビ復号回路，  ９  デインタリーブ回路，  １０  リードソロモン復号回路，  １１  MPEGデコーダ，  １２  Ｄ／Ａ変換器，  ２０  閾値比較部，  ２１  閾値発生回路，  ２２  比較回路，  ３０  フレームシンク出力部，  ３１  ＡＮＤ回路，  ４０  相関値算出部，  ４１  遅延回路，  ４２シフトレジスタ，  ４３  シフトレジスタ，  ４４  乗算回路，  ４５  加算回路，  ５０  周波数変換部，  ５１  周波数変換回路，  ６１  フレーム同期検出回路，  ６２  PSK復調回路，  ６３  位相検出回路，  ６４  ビタビ復号回路，  ６５  TMCCデコーダ，  ６６  デインタリーブ回路，  ６７  リードソロモン復号回路，  ６８  MPEGデコーダ
【図１】
0003849896.tif 000002
【図２】
0003849896.tif 000003
【図３】
0003849896.tif 000004
【図４】
0003849896.tif 000005
【図５】
0003849896.tif 000006